(57)【要約】【解決手段】ノード（例えば、ｅＮｏｄｅＢ）とコアネットワークエンティティ（ＣＮエンティティ）（例えば、モビリティマネジメントエンティティ（ＭＭＥ））との間の拡張型アクセスバーリングアクション（ＥＡＢアクション）のコアネットワークシグナリングのための技術が開示される。一の方法は、ノードがコアネットワークエンティティから、過負荷開始メッセージ内のＥＡＢアクションを受信する段階を含み得る。ノードは、受信したＥＡＢアクションに基づいて、ノードから無線デバイスへＥＡＢ設定情報を送信し得る。【選択図】図１
2015507434.tif 000002
【特許請求の範囲】
【請求項１】
ノードに対する拡張型アクセスバーリングアクション（ＥＡＢアクション）のコアネットワークシグナリングのための方法を実行するコンピュータプログラムコード手段を備えるコンピュータプログラムであり、
前記方法は、
ノードにおいて、過負荷開始メッセージ内のＥＡＢアクションをコアネットワークエンティティ（ＣＮエンティティ）から受信する段階と、
受信した前記ＥＡＢアクションに基づいて、前記ノードから無線デバイスへＥＡＢ設定情報を送信する段階と
を有する、コンピュータプログラム。
【請求項２】
前記ＥＡＢアクションは無線デバイスの複数のカテゴリを表すバーリングカテゴリを含み、
第１のカテゴリはＥＡＢ設定された無線デバイスを表し、
第２のカテゴリは自身のホーム公衆モバイルネットワーク（ＨＰＬＭＮ）、または前記自身のＨＰＬＭＮと同等の公衆モバイルネットワーク（ＰＬＭＮ）にいないＥＡＢ設定された無線デバイスを表し、
第３のカテゴリは、好ましいＰＬＭＮ、自身のＨＰＬＭＮ、または前記自身のＨＰＬＭＮと同等の前記ＰＬＭＮにいないＥＡＢ設定された無線デバイスを表す、請求項１に記載のコンピュータプログラム。
【請求項３】
前記ＥＡＢアクションは、ＥＡＢを適用する無線デバイスのローミングカテゴリを含む、請求項１または２に記載のコンピュータプログラム。
【請求項４】
前記コアネットワークエンティティは、ロングタームエボリューションシステム（ＬＴＥシステム）内のモビリティマネジメントエンティティ（ＭＭＥ）、またはユニバーサルモバイルテレコミュニケーションシステム（ＵＭＴＳ）内のサービスしている汎用パケット無線サービス（ＧＰＲＳ）サポートノード（ＳＧＳＮ）を含み、
前記ノードは、前記ＬＴＥシステム内の進化型ノードＢ（ｅＮＢ）またはノードＢ（ｍａｃｒｏ−ＮＢ）、若しくは前記ＵＭＴＳ内の無線ネットワークコントローラ（ＲＮＣ）を含む、請求項１から３のいずれか１項に記載のコンピュータプログラム。
【請求項５】
前記ＥＡＢアクションは過負荷アクション情報要素（過負荷アクションＩＥ）とは別個のＩＥであるＥＡＢアクションＩＥに含まれ、
前記ＥＡＢアクションＩＥは過負荷応答ＩＥに含まれる、請求項１から４のいずれか１項に記載のコンピュータプログラム。
【請求項６】
前記ＥＡＢアクションは過負荷応答ＩＥに含まれ、
前記過負荷応答ＩＥは、前記ＥＡＢアクションまたは過負荷アクションのいずれかの選択タイプを含み得る、請求項１から５のいずれか１項に記載のコンピュータプログラム。
【請求項７】
前記方法は、前記ノードにおいて、前記過負荷開始メッセージ内のトラヒック負荷情報ＩＥを前記コアネットワークエンティティから受信する段階をさらに有し、
前記トラヒック負荷情報ＩＥは、前記ＥＡＢアクションにおけるバーリングカテゴリを適用する無線デバイスのＥＡＢパーセンテージを規定し、
前記方法はさらに、
前記ＥＡＢパーセンテージを、システム情報ブロック（ＳＩＢ）におけるアクセスクラスバーリング設定（ＡＣバーリング設定）のＡＣバーリング係数ＩＥへマッピングする段階と、
前記ＡＣバーリング係数ＩＥを、無線リソース制御（ＲＲＣ）シグナリングを介して前記ノードから前記無線デバイスへ送信する段階と
を有する、請求項１から６のいずれか１項に記載のコンピュータプログラム。
【請求項８】
前記コアネットワークエンティティは、ユニバーサルモバイルテレコミュニケーションシステム（ＵＭＴＳ）内のサービスしている汎用パケット無線サービス（ＧＰＲＳ）サポートノード（ＳＧＳＮ）を含み、
前記ノードは、無線ネットワークコントローラ（ＲＮＣ）を含み、
前記ＥＡＢアクションは、優先度クラスインジケータＩＥまたはＥＡＢインジケータＩＥに含まれ、
前記過負荷開始メッセージは、無線アクセスネットワークアプリケーション部分（ＲＡＮＡＰ）過負荷メッセージを含み、
前記ＥＡＢアクションは２ビットのエンコードを用いるバーリングカテゴリを含む、請求項１から７のいずれか１項に記載のコンピュータプログラム。
【請求項９】
拡張型アクセスバーリング（ＥＡＢ）コアネットワークシグナリングのために設定されたノードデバイスであり、
過負荷開始メッセージ内のＥＡＢアクションをコアネットワークエンティティ（ＣＮエンティティ）から受信するトランシーバモジュールを備え、
前記トランシーバモジュールはさらに、受信した前記ＥＡＢアクションに基づいて、ＥＡＢバーリングカテゴリと共にＥＡＢ設定情報を無線デバイスへ通信し、
前記ＥＡＢアクションは無線デバイスの複数のカテゴリを表す前記ＥＡＢバーリングカテゴリを含み、
第１のカテゴリはＥＡＢ設定された無線デバイスを表し、
第２のカテゴリは自身のホーム公衆モバイルネットワーク（ＨＰＬＭＮ）、または前記自身のＨＰＬＭＮと同等の公衆モバイルネットワーク（ＰＬＭＮ）にいないＥＡＢ設定された無線デバイスを表し、
第３のカテゴリは、好ましいＰＬＭＮ、自身のＨＰＬＭＮ、または前記自身のＨＰＬＭＮと同等の前記ＰＬＭＮにいないＥＡＢ設定された無線デバイスを表す、ノードデバイス。
【請求項１０】
前記ＥＡＢアクションは過負荷アクション情報要素（過負荷アクションＩＥ）とは別個のＩＥであるＥＡＢアクションＩＥに含まれ、
前記ＥＡＢアクションＩＥは過負荷応答ＩＥに含まれる、請求項９に記載のノードデバイス。
【請求項１１】
前記ＥＡＢアクションは過負荷応答ＩＥに含まれ、
前記過負荷応答ＩＥは、前記ＥＡＢアクションまたは過負荷アクションのいずれかの選択タイプを含み得る、請求項９または１０に記載のノードデバイス。
【請求項１２】
前記トランシーバモジュールはさらに、前記過負荷開始メッセージ内のトラヒック負荷情報ＩＥを前記コアネットワークエンティティから受信し、
前記トラヒック負荷情報ＩＥは、前記ＥＡＢアクションにおけるバーリングカテゴリを適用する無線デバイスのＥＡＢパーセンテージを規定し、
前記ノードデバイスはさらに、前記ＥＡＢパーセンテージを、システム情報ブロック（ＳＩＢ）におけるアクセスクラスバーリング設定（ＡＣバーリング設定）のＡＣバーリング係数ＩＥへマッピングするプロセッシングモジュールを備え、
前記トランシーバモジュールはさらに、前記ＡＣバーリング係数ＩＥを、無線リソース制御（ＲＲＣ）シグナリングを介して前記無線デバイスへ送信する、請求項９から１１のいずれか１項に記載のノードデバイス。
【請求項１３】
前記コアネットワークエンティティは、ユニバーサルモバイルテレコミュニケーションシステム（ＵＭＴＳ）内のサービスしている汎用パケット無線サービス（ＧＰＲＳ）サポートノード（ＳＧＳＮ）を含み、
前記ノードデバイスは、無線ネットワークコントローラ（ＲＮＣ）に含まれ、
前記ＥＡＢアクションは、優先度クラスインジケータＩＥまたはＥＡＢインジケータＩＥに含まれ、
前記過負荷開始メッセージは、無線アクセスネットワークアプリケーション部分（ＲＡＮＡＰ）過負荷メッセージを含み、
前記ＥＡＢアクションは２ビットのエンコードを用いるバーリングカテゴリを含む、請求項９から１２のいずれか１項に記載のノードデバイス。
【請求項１４】
拡張型アクセスバーリング（ＥＡＢ）コアネットワークシグナリングのために設定されたコアネットワークデバイスであり、
ＥＡＢに基づいて無線デバイス通信を規制する過負荷状況を判断するプロセッシングモジュールと、
前記過負荷状況が発生した場合に、過負荷開始メッセージ内のＥＡＢバーリングカテゴリと共にＥＡＢアクションをノードへ送信するトランシーバモジュールと
を備え、
前記ＥＡＢアクションは、ＥＡＢを適用する無線デバイスのローミングカテゴリを含む、コアネットワークデバイス。
【請求項１５】
前記ＥＡＢアクションは無線デバイスの複数のカテゴリを表す前記ＥＡＢバーリングカテゴリを含み、
第１のカテゴリはＥＡＢ設定された無線デバイスを表し、
第２のカテゴリは自身のホーム公衆モバイルネットワーク（ＨＰＬＭＮ）、または前記自身のＨＰＬＭＮと同等の公衆モバイルネットワーク（ＰＬＭＮ）にいないＥＡＢ設定された無線デバイスを表し、
第３のカテゴリは、好ましいＰＬＭＮ、自身のＨＰＬＭＮ、または前記自身のＨＰＬＭＮと同等の前記ＰＬＭＮにいないＥＡＢ設定された無線デバイスを表す、請求項１４に記載のコアネットワークデバイス。
【請求項１６】
前記コアネットワークデバイスはコアネットワークエンティティに含まれ、
前記コアネットワークエンティティは、ロングタームエボリューションシステム（ＬＴＥシステム）内のモビリティマネジメントエンティティ（ＭＭＥ）、またはユニバーサルモバイルテレコミュニケーションシステム（ＵＭＴＳ）内のサービスしている汎用パケット無線サービス（ＧＰＲＳ）サポートノード（ＳＧＳＮ）を含み、
前記ノードは、前記ＬＴＥシステム内の進化型ノードＢ（ｅＮＢ）またはノードＢ（ｍａｃｒｏ−ＮＢ）、若しくは前記ＵＭＴＳ内の無線ネットワークコントローラ（ＲＮＣ）を含む、請求項１４または１５に記載のコアネットワークデバイス。
【請求項１７】
前記ＥＡＢアクションは過負荷アクション情報要素（過負荷アクションＩＥ）とは別個のＩＥであるＥＡＢアクションＩＥに含まれ、
前記ＥＡＢアクションＩＥは過負荷応答ＩＥに含まれる、請求項１４から１６のいずれか１項に記載のコアネットワークデバイス。
【請求項１８】
前記ＥＡＢアクションは過負荷応答ＩＥに含まれ、
前記過負荷応答ＩＥは、前記ＥＡＢアクションまたは過負荷アクションのいずれかの選択タイプを含み得る、請求項１４から１７のいずれか１項に記載のコアネットワークデバイス。
【請求項１９】
前記トランシーバモジュールはさらに、前記過負荷開始メッセージ内のトラヒック負荷情報ＩＥを前記ノードへ送信し、
前記トラヒック負荷情報ＩＥは、前記ＥＡＢアクションにおけるバーリングカテゴリを適用する無線デバイスのＥＡＢパーセンテージを規定し、
前記ＥＡＢパーセンテージは、無線リソース制御（ＲＲＣ）シグナリングを介して無線デバイスへ送信されるシステム情報ブロック（ＳＩＢ）におけるアクセスクラスバーリング設定（ＡＣバーリング設定）のＡＣバーリング係数ＩＥに対応する、請求項１４から１８のいずれか１項に記載のコアネットワークデバイス。
【請求項２０】
前記コアネットワークデバイスはコアネットワークエンティティに含まれ
前記コアネットワークエンティティは、ユニバーサルモバイルテレコミュニケーションシステム（ＵＭＴＳ）内のサービスしている汎用パケット無線サービス（ＧＰＲＳ）サポートノード（ＳＧＳＮ）を含み、
前記ノードは無線ネットワークコントローラ（ＲＮＣ）を含み、
前記ＥＡＢアクションは、優先度クラスインジケータＩＥまたはＥＡＢインジケータＩＥに含まれ、
前記過負荷開始メッセージは、無線アクセスネットワークアプリケーション部分（ＲＡＮＡＰ）過負荷メッセージを含み、
前記ＥＡＢアクションは２ビットのエンコードを用いるバーリングカテゴリを含む、請求項１４から１９のいずれか１項に記載のコアネットワークデバイス。
【発明の詳細な説明】
【背景技術】
【０００１】
無線モバイル通信技術は、ノード（例えば、送信局またはトランシーバ局）と無線デバイス（例えば、モバイルデバイス）との間でデータを送信するべく様々な規格およびプロトコルを用いる。いくつかの無線デバイスは、ダウンリンク（ＤＬ）送信において直交周波数分割多元接続（ＯＦＤＭＡ）を用い、アップリンク（ＵＬ）送信にシングルキャリア周波数分割多元接続（ＳＣ−ＦＤＭＡ）を用いて通信する。信号送信のためにＯＦＤＭ変調を用いる規格およびプロトコルには、第３世代パートナシッププロジェクト（３ＧＰＰ）ロングタームエボリューション（ＬＴＥ）、業界団体には一般的にＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として知られるＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６規格（例えば、８０２．１６ｅ、８０２．１６ｍ）、および業界団体には一般的にＷｉＦｉとして知られるＩＥＥＥ  ８０２．１１規格が含まれる。
【０００２】
３ＧＰＰ無線アクセスネットワーク（ＲＡＮ）ＬＴＥシステムにおいて、ノードは、ユーザ機器（ＵＥ））として知られる無線デバイスと通信する、進化型ユニバーサル地上無線アクセスネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（Ｅ−ＵＴＲＡＮ）ノードＢ（進化型ノードＢ、拡張型ノードＢ、ｅＮｏｄｅＢまたはｅＮＢとしても一般的に示される）および無線ネットワークコントローラ（ＲＮＣ）の組み合わせであり得る。ダウンリンク（ＤＬ）送信は、ノード（例えばｅＮｏｄｅＢ）から無線デバイス（例えばＵＥ）への通信であり得、アップリンク（ＵＬ）送信は、無線デバイスからノードへの通信であり得る。さらにノードは、Ｓ１インタフェースにより、コアネットワークに位置付けられるモビリティマネジメントエンティティ（ＭＭＥ）へ接続され得る。
【０００３】
モバイル通信のための他の技術は、符号分割多元接続（ＣＤＭＡ）を用いるネットワークのための３ＧＰＰモバイルセルラー技術であるユニバーサルモバイルテレコミュニケーションシステム（ＵＭＴＳ）である。ＵＭＴＳにおいて、ノードは、ＵＥとして知られる無線デバイスと通信する、ノードＢ（ＮｏｄｅＢまたはＮＢとして一般的に示される）、および無線ネットワークコントローラ（ＲＮＣ）の組み合わせであり得る。ＵＭＴＳはＵＭＴＳ地上無線アクセスネットワーク（ＵＴＲＡＮ）、コアネットワーク（モバイルアプリケーション部分（ｍｏｂｉｌｅ  ａｐｐｌｉｃａｔｉｏｎ  ｐａｒｔ）（ＭＡＰ）、および加入者アイデンティティモジュール（ＳＩＭ）カードを介したユーザの認証を網羅して、ネットワークシステムを特定し得る。ＲＮＣは、Ｉｕインタフェースによりコアネットワークへ接続され得る。
【０００４】
アクセスバーリングとして知られる特定の状況下で、ノードは無線デバイスユーザが、緊急呼び出しの試みを含み得るアクセス試行を行うこと、または公衆モバイルネットワーク（ＰＬＭＮ）の特定のエリア内の呼び出しに応答することを防ぎ得、または制限し得る。そのような状況には、緊急の状態、または１または複数同じ場所に位置するＰＬＭＮの失敗が含まれ得る。アクセスクラスバーリング（ＡＣＢ）は、無線デバイスが、ＬＴＥシステムおよびＵＭＴＳ内のノードへアクセス試行を行うことを防ぐべく用いられ得る。
【図面の簡単な説明】
【０００５】
本開示の特徴および利点は、以下に続く詳細な説明から明らかとなろう。詳細な説明は添付の図面と関連して検討され、それらが一緒となり、本開示の特徴を例としてとして例示する。
【図１】実施例に係る、ランダムアクセスチャネル（ＲＡＣＨ）をノードへ送信する複数の無線デバイスのブロック図を図示する。
【図２】実施例に係る、ロングタームエボリューションシステム（ＬＴＥシステム）におけるモビリティマネジメントエンティティ（ＭＭＥ）からノードへの過負荷開始プロセスのブロック図を示す。
【図３】実施例に係る、ユニバーサルモバイルテレコミュニケーションシステム（ＵＭＴＳ）におけるコアネットワーク（ＣＮ）から無線ネットワークコントローラ（ＲＮＣ）への過負荷プロセスのブロック図を示す。
【図４】実施例に係る、拡張型アクセスバーリングアクション（ＥＡＢアクション）を含むロングタームエボリューションシステム（ＬＴＥシステム）における過負荷開始メッセージを図示する。
【図５】実施例に係る、ノード、および当該ノードへの送信が規制されたＥＡＢカテゴリＡの無線デバイスへランダムアクセスチャネル（ＲＡＣＨ）を送信する複数の非遅延耐性モバイルデバイスのブロック図を示す。
【図６】実施例に係る、ノード、および当該ノードへの送信が規制されたいくつかのＥＡＢカテゴリＢの無線デバイスへランダムアクセスチャネル（ＲＡＣＨ）を送信する複数の非ＥＡＢカテゴリＢのモバイルデバイスのブロック図を示す。
【図７】実施例に係る、ノードに対する拡張型アクセスバーリングアクション（ＥＡＢアクション）のコアネットワークシグナリングのための方法のフローチャートを示す。
【図８】実施例に係る、コアネットワークエンティティ（ＣＮエンティティ）からの拡張型アクセスバーリングアクション（ＥＡＢアクション）のコアネットワークシグナリングのための方法のフローチャートを示す。
【図９】実施例に係る、無線デバイス、ノード、およびコアネットワークエンティティ（ＣＮエンティティ）のブロック図を示す。
【図１０】実施例に係る、無線デバイスの図を示す。以下において、示される例示的な実施形態を参照する。例示的な実施形態を説明すべく特定の言語が用いられる。しかし、これにより、本願発明の範囲を限定することが意図されているわけではないことを理解されよう。
【発明を実施するための形態】
【０００６】
本願発明を開示および説明する前に、本願発明は本明細書に開示される特定の構造、プロセス段階、または材料に限定されず、当業者に認識されるように同等物にまで拡張されることを理解されたい。また、本明細書において採用される用語の使用は、特定の実施例を説明するためのみに用いられ、限定を意図されていないことも理解されるべきである。異なる図面における同じ参照符号は、同じ要素を表す。フローチャートおよびプロセスに用いられる数字は、段階および処理の図示において明確にすべく提供されており、必ずしも特定の順序または順番を示さない。
【０００７】
例示的な実施形態  以下に技術の実施形態の最初の概要を提供し、その後、特定の技術の実施形態が、さらに詳細に説明される。この最初の概要は読者が、より迅速に技術を理解出来るよう補助することを意図されており、技術の主要な特徴または必須の特徴を特定することを意図されておらず、また、特許請求される主題の態様を限定することも意図されていない。
【０００８】
多数のマシンタイプの通信（ＭＴＣ）デバイス、および／またはマシンツーマシン（Ｍ２Ｍ）デバイスが無線アクセスネットワーク（ＲＡＮ）にアクセスし得る。本明細書で用いられるように、ＭＴＣおよびＭ２Ｍは交換可能に用いられる。ＭＴＣデバイスは、ＲＡＮ、およびＲＡＮをサポートするコアネットワーク（ＣＮ）に過負荷をかけ得る。ＲＡＮおよびコアネットワークがサポートし得る多数のＭＴＣデバイスに起因する過負荷状況を低減すべく、ネットワークには過負荷制御および保護メカニズムが提供され得る。
【０００９】
拡張型アクセスバーリング（ＥＡＢ）などのアクセスバーリングは、ＲＡＮおよびＣＮを含むネットワークの過負荷制御および保護を提供し得る。アクセスバーリングによりネットワークは、ネットワーク（例えば、ＲＡＮまたはコアネットワーク）、および／または、ネットワークコンポーネント（例えばノード）に過負荷がかかった場合に、低優先度および／または遅延耐性のＭＴＣデバイスまたはサービスのアクセスを規制することが可能となる。本明細書で用いられるように、「ノード」という用語は、ダウンリンク信号を複数の無線デバイスへ通信し、アップリンク信号を複数の無線デバイスから受信するよう構成されたトランシーバを指し得る。例えばノードは、複数の無線デバイスとダウンリンク信号またはアップリンク信号を通信するよう構成されたｅＮＢ、基地局、若しくは、他の規格の、または規格外のトランシーバを含み得る。本明細書で用いられるように、遅延耐性および低優先度は交換可能に用いられ得る。アクセスクラスバーリング（ＡＣＢ）および拡張型アクセスバーリング（ＥＡＢ）などのアクセスバーリングによりノードは、メッセージをブロードキャストすることが可能となり、これにより、無線デバイスのユーザのノードにおけるアクセス試行を防ぎ得るか、または制限し得る。ブロードキャストメッセージはセル単位で利用可能であり得、ネットワークアクセスが規制されるクラス（１または複数）またはカテゴリの加入者を示す。アクセスバーリングによりネットワークオペレータは、無線アクセスネットワークおよびコアネットワークの過負荷を防ぐことが可能となる。
【００１０】
実施例において、無線デバイスは、アクセスクラス０〜９として規定される１０のランダムに割り当てられたモバイル群のうち１つのモバイル群のメンバーであり得る。群番号は、加入者アイデンティティモジュールまたは加入者識別モジュール（ＳＩＭ）、若しくはユニバーサル加入者アイデンティティモジュール（ＵＳＩＭ）に格納され得る。加えて、無線デバイスは、同じくＳＩＭ／ＵＳＩＭに保持される１または複数の特別なカテゴリ（例えば、アクセスクラス１１〜１５）のメンバーであり得る。特別なカテゴリは、特定の高優先度ユーザに割り当てられ得る。クラス１５は、公衆モバイルネットワーク（ＰＬＭＮ）スタッフに割り当てられ得、クラス１４は、緊急サービスに割り当てられ得、クラス１３は、公益企業（例えば、水道／ガス供給業者）に割り当てられ得、クラス１２は、セキュリティサービスに割り当てられ得、クラス１１は、ＰＬＭＮの利用に割り当てられ得る。
【００１１】
ＡＣＢにおいて、無線デバイスが、無線インタフェースによりシグナリングされるように許可されるクラスに対応する少なくとも１つのアクセスクラス（ＡＣ）のメンバーであり、アクセスクラスがサービスしているネットワークに当てはまる場合、アクセス試行が許可さる。クラス０〜９は、ホーム公衆モバイルネットワーク（ＰＬＭＮ）および訪問されるＰＬＭＮ（ＶＰＬＭＮ）において許可され得る。クラス１１および１５は、同等のホームＰＬＭＮ（ＥＨＰＬＭＮ）リストが存在しない場合にホームＰＬＭＮ（ＨＰＬＭＮ）において、またはＥＨＰＬＭＮにおいて許可され得る。クラス１２、１３、または１４は、ＨＰＬＭＮおよび母国のＶＰＬＭＮにおいて許可され得る。母国は、国際モバイル加入者アイデンティティ（ＩＭＳＩ）のモバイル国コード（ＭＣＣ）部分の国であり得る。これらのクラスのうち任意の数が何らかの一時点において規制され得る。
【００１２】
ＥＡＢは、ＡＣＢよりもさらに追加のアクセスバーリングを提供し得る。拡張型アクセスバーリング（ＥＡＢ）は、アクセスネットワークおよび／またはコアネットワークの過負荷を防ぐべく、オペレータ（例えばネットワークオペレータ）が、ＥＡＢ設定された無線デバイスからのモバイル発信のアクセス試行を制御するためのメカニズムを含み得る。輻輳状況において、オペレータは、他の無線デバイスからのアクセスを許可しつつ、ＥＡＢ設定された無線デバイスからのアクセスを制限し得る。ＥＡＢ設定された無線デバイスは、他の無線デバイスよりもアクセス規制に対する高い耐性を有するものと見なされ得る。過負荷状況および他の引き金となるイベントなど、オペレータまたは何らかの自動化されたプロセスがＥＡＢを適用することを判断した場合、ネットワークは、特定のエリア内の無線デバイスのＥＡＢ制御を提供するよう情報をブロードキャストし得る。
【００１３】
ＥＡＢ設定された無線デバイスは、無線デバイスのローミングカテゴリ（無線デバイスの、ノードをサポートするＰＬＭＮとの関係）に基づいて分類され得る。ＰＬＭＮのＲＡＮ内のノードは、報知チャネル（ＢＣＣＨ）を用いてＥＡＢ情報を無線デバイスへブロードキャストし得る。ＢＣＣＨ上のＥＡＢ情報は、ＥＡＢ設定された無線デバイスのどのカテゴリがＥＡＢを適用し得るかを示し得る。アクセスバーリング情報（例えばＥＡＢ情報）は、システム情報ブロック（ＳＩＢ）またはマスター情報ブロック（ＭＩＢ）を用いてＢＣＣＨ内で送信され得る。ＥＡＢ設定された無線デバイスは、ＥＡＢを適用するか否かを判断すべく、自身のカテゴリ（例えば、以下に説明されるカテゴリＡ、Ｂ、またはＣ）をチェックし得る。実施例において、ＥＡＢパラメータが無線デバイスに適用されるローミングカテゴリ（カテゴリＡ、Ｂ、またはＣ）を示すべく２ビットが用いられ得る。
【００１４】
ＥＡＢは、ＡＣＢと比較し、異なるタイプまたはカテゴリの無線デバイスを規制し得、および／または、ＥＡＢはＡＣＢとは異なる規制メカニズムを提供し得る。ＥＡＢは、ＡＣＢにおける全ての無線デバイスの代わりに、ＭＴＣ無線デバイスなどの遅延耐性アクセスの無線デバイスに関して構成され得る。ＥＡＢ設定された無線デバイスは他の無線デバイスよりも、アクセス規制に対する高い耐性（例えば遅延耐性）を有し得る。ＥＡＢは、ローミングサービス利用者、または、ＨＰＬＭＮおよび／またはＥＨＰＬＭＮの外で動作する無線デバイスを処理すべく用いられ得る。ＥＡＢ設定された無線デバイスについて、ＥＡＢはＡＣＢより優先される。
【００１５】
実施例において、ＥＡＢパラメータは、各ビットがアクセスクラス（ＡＣ）に対応するバーリングビットマップを含み得る。合計１０のビットがＡＣ０〜９のために用いられ得る。例えば、バーリングビットマップの特定のビットが「１」（例えば、論理またはデジタルの１、若しくは設定されたフラグ）に設定された場合、対応するＡＣは規制され得る。その他に関しては、バーリングビットマップの特定のビットは「０」（例えば、論理またはデジタルのゼロ、若しくは設定されていないフラグ）に設定され、対応するＡＣは規制され得ない。
【００１６】
ＭＴＣデバイスはセルまたはＲＡＮ内で様々であり得る。多数のＭＴＣデバイスが、特定の時点において応答するよう同様に設定およびプログラムされ得る。例えば、ＭＴＣデバイスは、ｅＮＢへデータを中継するよう構成されたガスセンサなどのユーティリティセンサであり得る。数百または数千というこれらのセンサがそれぞれ、同じセル内のＬＴＥネットワークに接続しようと試み得る。ＭＴＣデバイスは、比較的短い期間で大量の接続試行の流入をもたらし得る。この流入はノードへの「集中的なアクセス」と呼ばれ得る。ＭＴＣを利用することにより、ノードへの集中的なアクセスをもたらす多数のＭＴＣ無線デバイスは、ノードおよび／またはネットワークに過負荷をかけ得る。
【００１７】
過負荷状況において、ランダムアクセスチャネル（ＲＡＣＨ）は過負荷をかけられ得、このことにより、ある期間、通常優先度無線デバイス（非遅延耐性アクセスの無線デバイス、非低優先度アクセスの無線デバイス、または高優先度無線デバイスのアクセスをブロックし得る。他の無線デバイスの送信が通常優先度無線デバイスのＲＡＣＨのノードによる受信に干渉し得、当該ノードが送信をデコード出来ないので通常優先度無線デバイスは、アクセスがブロックされ得る。ＥＡＢは、ランダムアクセス手順がＥＡＢ設定された無線デバイスに対して実行されることをブロックまたは規制すべく採用され得、またはＥＡＢは、ＥＡＢ設定された無線デバイスによるＲＡＣＨ上での送信をブロックまたは規制すべく採用され得る。その結果、ＥＡＢがＲＡＣＨ上の過負荷を低減し得る。
【００１８】
図１は、同時（または略同時）にＲＡＣＨをノード３１０へ送信し過負荷状況を生じさせている、セル内の複数の無線デバイス３２０Ａ〜Ｄ、３２２Ａ〜Ｂ、３２４Ａ〜Ｃ、３２６Ａ〜Ｂ、３３０Ａ〜Ｄ、３３２Ａ〜Ｆ、３３４Ａ〜Ｆ、３３６Ａ〜Ｄの例を示す。セルは送信局または地理的な送信エリアにより生成される論理的な定義であり得、または、送信局によりカバーされるサブエリアであり得、制御チャネル、基準信号、およびコンポーネントキャリア（ＣＣ）周波数などセルに関するパラメータを規定する特定のセルアイデンティフィケーション（ＩＤ）を含み得る。セル内の無線デバイスは、ユーザデバイス３２０Ａ〜Ｄ、３２２Ａ〜Ｂ、３２４Ａ〜Ｃ、３２６Ａ〜Ｂ、およびＭＴＣまたはＭ２Ｍデバイス３３０Ａ〜Ｄ、３３２Ａ〜Ｆ、３３４Ａ〜Ｆ、３３６Ａ〜Ｄを含み得る。セル内の無線デバイスは、通常優先度無線デバイス（非遅延耐性無線デバイス）３２０Ａ〜Ｄ、３３０Ａ〜Ｄ、および遅延耐性無線デバイス３２２Ａ〜Ｂ、３２４Ａ〜Ｃ、３２６Ａ〜Ｂ、３３２Ａ〜Ｆ、３３４Ａ〜Ｆ、３３６Ａ〜Ｄを含み得る。ＥＡＢはＭＴＣデバイスによく適し得るが、ＥＡＢは他の無線デバイス（ユーザデバイス）も適用され得る。追加的に、ＭＴＣデバイスは通常の優先度のアクセスを有し得、ＥＡＢ設定されないかもしれない。
【００１９】
ＥＡＢは、ＭＴＣ無線デバイスなど遅延耐性アクセスデバイスのアクセスを限定すべく用いられ得る。実施例において、遅延耐性アクセスは、ＥＡＢを受けるアクセスであり得る。ＥＡＢは、無線デバイスおよび／またはノードにおいて適用され得、ＲＡＮおよびコアネットワークによりサポートされ得る。無線デバイスは、様々な手順または方法を用いてノードによりブロードキャストされるＥＡＢ設定情報の存在、またはその変化を意識し得る。ＥＡＢ設定情報が受信された後、無線デバイスは、ＡＣＢに関するプロセスも含み得るＥＡＢに関するアクセスバーリングチェックプロセスを適用し得る。
【００２０】
ＬＴＥシステムは、Ｓ１インタフェースを介して、ＲＡＮのノードとコアネットワーク（ＣＮ）のモビリティマネジメントエンティティ（ＭＭＥ）との間のＥＡＢのためのアクセスバーリング過負荷メカニズムを提供し得る。図２は、ＬＴＥシステムにおける、ＭＭＥ３５０からノード３１０へのOVERLOAD START３６２プロセスを図示する。過負荷開始プロセスはノードに、該当するＭＭＥに対するシグナリング負荷を低減させるよう通知し得る。過負荷開始プロセスはＳ１シグナリングなど非送信関連シグナリングを用い得る。OVERLOAD STARTメッセージを受信するノードは、ＭＭＥが過負荷状態にあることを通知され得る。
【００２１】
ＵＭＴＳは、Ｉｕ−ＰＳインタフェースを介して、ＲＡＮの、ＲＮＣを含むノードと、コアネットワーク（ＣＮ）との間のＥＡＢのためのアクセスバーリング過負荷メカニズムを提供し得る。既存の優先度クラスインジケータが、ＥＡＢインジケーションを伝達するよう改善され得る。代替的に、専用のＥＡＢインジケータが、ＥＡＢを規定すべく用いられ得る。図３は、ＵＭＴＳにおけるＣＮからＲＮＣ３７０への、ＣＮ３８０におけるＣＮOVERLOAD３６６プロセス（またはOVERLOAD STARTメッセージ）を図示する。ＣＮはＣＮOVERLOADメッセージを送信することにより、ＣＮが輻輳状態にあることをＲＮＣに示し得る。
【００２２】
図２を再び参照すると、コアネットワークエンティティ（ＣＮエンティティ）（例えばＭＭＥ３５０）が過負荷をかけられている場合、ＣＮエンティティはＳ１アプリケーションプロトコル（Ｓ１ＡＰ）OVERLOAD START３６２メッセージを用いて、ノード３１０（例えば、ｅＮＢ）に、サブカテゴリ（例えば、ＥＡＢカテゴリ）の無線デバイス（例えば、ＵＥ）からのトラヒック負荷を制限するよう要求し得る。Ｓ１ＡＰは、Ｅ−ＵＴＲＡＮと進化型パケットコア（ＥＰＣ）との間のシグナリングサービスを提供し得、以下の機能を有し得る。Ｅ−ＵＴＲＡＮ無線アクセスベアラー（Ｅ−ＲＡＢ）制御機能、初期のコンテキスト転送機能、ＵＥ性能情報提示機能、移動性機能、Ｓ１インタフェース制御機能、非アクセス層（ＮＡＳ）シグナリング転送機能、Ｓ１ＵＥコンテキストリリース機能、ＵＥコンテキスト変更機能、ステータス転送、トレース機能、位置報告、Ｓ１符号分割多元接続２０００（ＣＤＭＡ２０００）トンネリング機能、警告メッセージ送信機能、ＲＡＮ情報制御（ＲＩＭ）機能、および／または、設定転送機能。
【００２３】
実施例において、ＥＡＢカテゴリ情報は、過負荷開始メッセージ（例えば、ＯＶＥＲＬＯＡＤ  ＳＴＡＲＴメッセージ）内で、過負荷応答ＩＥの過負荷アクション情報要素（ＩＥ）内で伝達され得る。しかし、過負荷アクションは抽象構文記法１（ＡＳＮ．１）列挙型であり得るので、過負荷アクションはＣＮエンティティが、同じ過負荷開始メッセージ内で遅延耐性無線デバイス（例えば、ＵＥ）とＥＡＢ設定された無線デバイスとの両方からの負荷の低減を要求することを可能としないかもしれない。アクセスバーリングは、（実施例において）遅延耐性無線デバイス（または低アクセス優先度無線デバイス）、ＥＡＢ設定された無線デバイス、および／または、複数の異なるタイプの無線デバイスであり得る複数のアクセス優先度の無線デバイス（例えば、低優先度、通常優先度、および高優先度無線デバイス）に適用され得る。
【００２４】
過負荷開始メッセージに含まれる過負荷応答ＩＥにおいて規制される、または示される無線デバイスのカテゴリのフレキシビリティをより大きくするべく、過負荷アクションＩＥとは別個のＥＡＢアクションＩＥ（例えば、ＥＡＢアクションＩＥ）が、遅延耐性とＥＡＢカテゴリ情報との両方を同じ過負荷開始メッセージ内で転送することが出来るようにすべく用いられ得る。実施例において、過負荷開始メッセージは、ＭＭＥにより送信され得、ＭＭＥに過負荷がかけられていることをｅＮＢに対して示すべく用いられ得る。過負荷開始メッセージの方向はＭＭＥからｅＮＢであり得る。
【００２５】
過負荷開始メッセージは、メッセージタイプＩＥ、過負荷応答ＩＥ、（ＧＵＭＭＥＩ  ＩＥを含み得るＧＵＭＭＥＩリストアイテムを含み得る）世界的に一意のモビリティマネジメントエンティティ識別子（ＧＵＭＭＥＩ）リストＩＥなどの必須の（Ｍ）存在であるＩＥおよび／またはグループ名と、トラヒック負荷低減情報ＩＥおよびＥＡＢアクションＩＥなどの任意選択的な（ｏ）存在のＩＥおよび／またはグループ名とを含み得る。ＧＵＭＭＥＩは、公衆モバイルネットワーク（ＰＬＭＮ）アイデンティティ、モビリティマネジメントエンティティ（ＭＭＥ）グループアイデンティティ、およびＭＭＥコードのものを含み得る。ＥＡＢアクションＩＥは「ＹＥＳ」クリティカリティを有し得、およびクリティカリティ「無視」を割り当てられ得る。
【００２６】
一実施形態において、ＥＡＢアクションＩＥは、どのシグナリングトラヒックがＭＭＥ過負荷状況においてＥＡＢを受けることになるかを示し得る。ＥＡＢアクションＩＥは、ＩＥ／グループ名（ＥＡＢアクション）、存在、範囲、ＩＥタイプおよびリファレンス、並びに意味記述を有し得る。ＥＡＢアクションＩＥの存在は任意選択性（Ｏ）を有し得る。ＥＡＢアクションＩＥは、３つのカテゴリの列挙型ＩＥタイプを含み得る。それらカテゴリは、ＥＡＢ設定されたＵＥ（つまり、カテゴリＡ）にＥＡＢを適用すること、ＥＡＢ設定され、自身のＨＰＬＭＮにも、またそれに同等のＰＬＭＮにも登録されていないＵＥ（つまり、カテゴリＢ）にＥＡＢを適用すること、または、ＥＡＢ設定され、ＳＩＭ／ＵＳＩＭのオペレータ定義のＰＬＭＮセレクタリストにおいて自身がローミングしている国の最も好ましいＰＬＭＮとして列挙されているＰＬＭＮにも、自身のＨＰＬＭＮにも、またそれに同等のＰＬＭＮにも登録されていないＵＥ（つまり、カテゴリＣ）にＥＡＢを適用することを含み得る。
【００２７】
図４は、ＥＡＢアクション情報要素（ＥＡＢアクションＩＥ）を含むＬＴＥシステムの過負荷開始メッセージを図示する。ＥＡＢアクションＡＳＮ．１列挙型の名前およびラベルは異なり得るが、それら名前およびラベルは、以下の３つのＥＡＢカテゴリに対応し得る。カテゴリＡは、ＥＡＢ設定されたＵＥを含み得る。カテゴリＢは、ＥＡＢ設定され、自身のＨＰＬＭＮにも、またそれに同等のＰＬＭＮにも登録されていないＵＥを含み得る。カテゴリＣは、ＥＡＢ設定され、ＳＩＭ／ＵＳＩＭのオペレータ定義のＰＬＭＮセレクタリストにおいて自身がローミングしている国の最も好ましいＰＬＭＮとして列挙されているＰＬＭＮにも、自身のＨＰＬＭＮにも、またそれに同等のＰＬＭＮにも登録されていないＵＥを含み得る。ＥＡＢアクション（および他の説明されるプロセス、インジケータ、およびビットエンコード）は、ＥＡＢの処理の改善、ＥＡＢおよび低アクセス優先度を別々に通信するためのより大きなフレキシビリティを提供し得、他の目的のための将来的な拡張を可能とし得る。
【００２８】
過負荷開始プロセスはノードに対し、該当するＭＭＥへのシグナリング負荷を低減するよう通知し得る。図２に示されるように、過負荷開始プロセスは、Ｓ１シグナリングなど非送信関連シグナリングを用い得る。OVERLOAD START３６２メッセージを受信するノード３１０は、ＭＭＥが過負荷状態にあるものと想定し得る。
【００２９】
実施例において、OVERLOAD STARTメッセージ内の過負荷応答ＩＥの過負荷アクションＩＥは以下のように設定されている場合、  −「非緊急のモバイル発信のデータ転送のための無線リソース制御（ＲＲＣ）接続確立を拒否する」（つまり、ＲＲＣ  ｃａｕｓｅ「ｍｏ−ｄａｔａ」および「ｄｅｌａｙＴｏｌｅｒａｎｔＡｃｃｅｓｓ」に対応するトラヒックを拒否する）、または、  −「シグナリングのためのＲＲＣ接続確立を拒否する」（つまり、ＲＲＣ  ｃａｕｓｅ「ｍｏ−ｄａｔａ」、「ｍｏ−ｓｉｇｎａｌｌｉｎｇ」および「ｄｅｌａｙＴｏｌｅｒａｎｔＡｃｃｅｓｓ」に対応するトラヒックを拒否する）、または、  −「緊急セッションおよびモバイルで終端するサービスのためのＲＲＣ接続確立を許可する」（つまり、ＲＲＣ  ｃａｕｓｅ「ｅｍｅｒｇｅｎｃｙ」および「ｍｔ−Ａｃｃｅｓｓ」に対応するトラヒックのみを許可する）、または、  −「高優先度セッションおよびモバイルで終端するサービスのためのＲＲＣ接続確立を許可する」（つまり、ＲＲＣ  ｃａｕｓｅ「ｈｉｇｈＰｒｉｏｒｉｔｙＡｃｃｅｓｓ」および「ｍｔ−Ａｃｃｅｓｓ」に対応するトラヒックのみを許可する）、または、  −「遅延耐性アクセスのためのＲＲＣ接続確立を拒否する」（つまり、ＲＲＣ  ｃａｕｓｅ「ｄｅｌａｙＴｏｌｅｒａｎｔＡｃｃｅｓｓ」に対応するトラヒックを拒否する）。  ノード（例えば、ｅＮＢ）は、  −トラヒック負荷低減情報ＩＥがOVERLOAD STARTメッセージに含まれ、サポートされている場合、示される割合だけ拒否されるものと示されるシグナリングトラヒックを低減し、  −その他に関しては、拒否されるものと示されていないシグナリングトラヒックがＭＭＥへ確実に送信されるようにする。OVERLOAD STARTメッセージ内のＥＡＢアクションＩＥが以下のように設定されている場合、  −「ＥＡＢ設定されたＵＥにＥＡＢを適用する」、または、  −「ＥＡＢ設定され、自身のＨＰＬＭＮにも、またそれに同等のＰＬＭＮにも登録されていないＵＥにＥＡＢを適用する」、または、−「ＥＡＢ設定され、ＳＩＭ／ＵＳＩＭのオペレータ定義のＰＬＭＮセレクタリストにおいて自身がローミングしている国の最も好ましいＰＬＭＮとして列挙されているＰＬＭＮにも、自身のＨＰＬＭＮにも、またそれに同等のＰＬＭＮにも登録されていないＵＥにＥＡＢを適用する。  ノード（例えば、ｅＮＢ）は、  −トラヒック負荷低減情報ＩＥがOVERLOAD STARTメッセージに含まれ、サポートされている場合、示される割合だけ拒否されるものと示されるシグナリングトラヒックを低減することが出来、  −トラヒック負荷低減情報ＩＥがOVERLOAD STARTメッセージに含まれず、サポートされている場合、ＥＡＢを適用することにより、示されるカテゴリからのシグナリングトラヒックを防ぐことが出来、  −その他に関しては、拒否されるものと示されていないシグナリングトラヒックがＭＭＥへ確実に送信されるようにすることが出来る。
【００３０】
過負荷アクションＩＥが、「緊急セッションおよびモバイルで終端するサービスのためのＲＲＣ接続確立を許可する」ように設定されている場合、高優先度ユーザからのＲＲＣ  ｃａｕｓｅ「ｈｉｇｈＰｒｉｏｒｉｔｙＡｃｃｅｓｓ」を有する緊急呼び出しが拒否され得る。ＧＵＭＭＥＩ  Ｌｉｓｔ  ＩＥが存在する場合、ノード（例えば、ｅＮＢ）は、サポートされている場合、ＧＵＭＭＥＩ  Ｌｉｓｔ  ＩＥの情報を用いて、上記にて規定した拒否がどのトラヒックに当てはまるかを特定し得る。過負荷アクションが継続中であり、ノード
（例えば、ｅＮＢ）が更なるOVERLOAD STARTメッセージを受信した場合、ノードは、継続中の過負荷アクションを、新たに要求されたOVERLOAD STARTメッセージと入れ替え得る。
【００３１】
他の設定において、ＯｖｅｒｌｏａｄＲｅｓｐｏｎｓｅ  ＩＥは、以下の擬似コードにより示されるように、ＯｖｅｒｌｏａｄＡｃｔｉｏｎまたはＥＡＢＡｃｔｉｏｎのいずれかを伝達し得る。ＯｖｅｒｌｏａｄＡｃｔｉｏｎ  ：：＝ＥＮＵＭＥＲＡＴＥＤ  ｛
ｒｅｊｅｃｔ−ｎｏｎ−ｅｍｅｒｇｅｎｃｙ−ｍｏ−ｄｔ，
ｒｅｊｅｃｔ−ｒｒｃ−ｃｒ−ｓｉｇｎａｌｌｉｎｇ，
ｐｅｒｍｉｔ−ｅｍｅｒｇｅｎｃｙ−ｓｅｓｓｉｏｎｓ−ａｎｄ−ｍｏｂｉｌｅ−ｔｅｒｍｉｎａｔｅｄ−ｓｅｒｖｉｃｅｓ−ｏｎｌｙ，...，
ｐｅｒｍｉｔ−ｈｉｇｈ−ｐｒｉｏｒｉｔｙ−ｓｅｓｓｉｏｎｓ−ａｎｄ−ｍｏｂｉｌｅ−ｔｅｒｍｉｎａｔｅｄ−ｓｅｒｖｉｃｅｓ−ｏｎｌｙ，
ｒｅｊｅｃｔ−ｄｅｌａｙ−ｔｏｌｅｒａｎｔ−ａｃｃｅｓｓ
｝
ＥＡＢＡｃｔｉｏｎ  ：：＝＝ＥＮＵＭＥＲＡＴＥＤ  ｛
ｅａｂ，
ｅａｂ−ｎｏｔ−ｉｎ−ｈｐｌｍｎ，
ｅａｂ−ｎｏｔ−ｉｎ−ｈｐｌｍｎ−ｎｏｔ−ｉｎ−ｃｏｕｎｔｒｙ−ｐｒｅｆｅｒｒｅｄ−ｐｌｍｎ，
｝
ＯｖｅｒｌｏａｄＲｅｓｐｏｎｓｅ  ：：＝ＣＨＯＩＣＥ  ｛
ｏｖｅｒｌｏａｄＡｃｔｉｏｎ          ＯｖｅｒｌｏａｄＡｃｔｉｏｎ，
ｅａｂＡｃｔｉｏｎ            ＥＡＢＡｃｔｉｏｎ，...
｝
ここで「ｅａｂ」は、ＥＡＢ設定された無線デバイス（またはカテゴリＡ）を表し、「ｅａｂ−ｎｏｔ−ｉｎ−ｈｐｌｍｎ」は、ＥＡＢ設定され、自身のＨＰＬＭＮにも、また自身のＨＰＬＭＮに同等のＰＬＭＮ（ＥＨＰＬＭＮ）にもいない無線デバイス（またはカテゴリＢ）を表し、「ｅａｂ−ｎｏｔ−ｉｎ−ｈｐｌｍｎ−ｎｏｔ−ｉｎ−ｃｏｕｎｔｒｙ−ｐｒｅｆｅｒｒｅｄ−ｐｌｍｎ」は、ＥＡＢ設定され、ＳＩＭ／ＵＳＩＭのオペレータ定義のＰＬＭＮセレクタリストにおいて自身がローミングしている国の最も好ましいＰＬＭＮとして列挙されているＰＬＭＮにも、自身のＨＰＬＭＮにも、また自身のＨＰＬＭＮに同等のＰＬＭＮにもいない無線デバイス（またはカテゴリＣ）を表す。
【００３２】
ＯｖｅｒｌｏａｄＲｅｓｐｏｎｓｅはＣＨＯＩＣＥタイプのものであり得るので、ＯｖｅｒｌｏａｄＲｅｓｐｏｎｓｅは、同じ過負荷開始メッセージでレガシー過負荷アクションおよびＥＡＢアクションのシグナリングを可能とし得ない。
【００３３】
他の設定において、ＣＮエンティティ（例えば、ＭＭＥ）からノードへの過負荷開始メッセージ内で伝達されるトラヒック負荷低減情報ＩＥは、ノードから無線デバイスへのブロードキャストに用いられるアクセスカテゴリ（例えば、ａｃ−ＢａｒｒｉｎｇＦａｃｔｏｒ）またはＥＡＢバーリングカテゴリ（例えば、ｅａｂ−ＢａｒｒｉｎｇＣａｔｅｇｏｒｙ  ＩＥ）へマッピングされ得る。トラヒック負荷低減情報ＩＥが存在する場合、ノード（例えば、ｅＮＢ）は、示される割合の分だけシグナリングトラヒックを低減させ得る。トラヒック負荷低減情報は、無線デバイス（例えば、ＵＥ）とのＲＲＣ接続のうち特定の割合を拒否すべく用いられ得る。
【００３４】
トラヒック負荷低減情報ＩＥは、ＥＡＢ設定された無線デバイスのうち特定の割合を規制すべく用いられ得る。特定の状況において、ＣＮエンティティは、特定のカテゴリの全ての無線デバイスではなく、あるカテゴリ（例えば、カテゴリＡ、Ｂ、またはＣ）の無線デバイスのうち特定の割合にＥＡＢを適用することを所望するかもしれない当該カテゴリの無線デバイスのうち特定の割合を示すべく、ＣＮエンティティ（例えば、ＭＭＥ）は、（過負荷アクションＩＥまたはＥＡＢアクションのうちいずれか）ＥＡＢカテゴリを含む過負荷開始メッセージおよびトラヒック負荷低減情報ＩＥを送信し得る。
【００３５】
過負荷開始メッセージからのトラヒック負荷低減情報ＩＥは、１から９９の整数として規定され得る。トラヒック負荷低減情報ＩＥは、ＳｙｓｔｅｍＩｎｆｏｒｍａｔｉｏｎＢｌｏｃｋＴｙｐｅ２（ＳＩＢ２）に含まれるＡＣ−ＢａｒｒｉｎｇＣｏｎｆｉｇからのＲＲＣ  ａｃ−ＢａｒｒｉｎｇＦａｃｔｏｒ  ＩＥ、またはＳＩＢ２または他のＳＩＢのＥＡＢ設定情報からのｅａｂ−ＢａｒｒｉｎｇＦａｃｔｏｒ  ＩＥへマッピングされ得る。
【００３６】
実施例において、ａｃ−ＢａｒｒｉｎｇＦａｃｔｏｒまたはｅａｂ−ＢａｒｒｉｎｇＦａｃｔｏｒは、１０個の値（例えば、ｐ００、ｐ０５、ｐ１０、ｐ１５、ｐ２０、ｐ２５、ｐ３０、ｐ４０、ｐ５０、ｐ６０、ｐ７０、ｐ７５、ｐ８０、ｐ８５、ｐ９０、およびｐ９５）を有するＡＳＮ．１列挙型として規定され得る。トラヒック負荷低減情報は、ａｃ−ＢａｒｒｉｎｇＦａｃｔｏｒまたはｅａｂ−ＢａｒｒｉｎｇＦａｃｔｏｒへ線形にマッピングされ得、例えば、トラヒック負荷低減情報に示される値２０は、ノードにより、ａｃ−ＢａｒｒｉｎｇＦａｃｔｏｒまたはｅａｂ−ＢａｒｒｉｎｇＦａｃｔｏｒをｐ２０に設定して、特定されるカテゴリのトラヒックを２０％に低減させるために用いられ得る。
【００３７】
ＥＡＢ設定情報は、ＲＲＣシグナリングを介して無線デバイスへブロードキャストされ得るバーリングカテゴリ（例えば、ｅａｂ−ＢａｒｒｉｎｇＣａｔｅｇｏｒｙ  またはａｃ−ＢａｒｒｉｎｇＣａｔｅｇｏｒｙ）、および／または、バーリング係数（例えば、ｅａｂ−ＢａｒｒｉｎｇＦａｃｔｏｒまたはａｃ−ＢａｒｒｉｎｇＦａｃｔｏｒ）を含み得る。バーリングカテゴリは、ローミングカテゴリとも呼ばれ得る。ｅａｂ−ＢａｒｒｉｎｇＣａｔｅｇｏｒｙの例において、バーリングカテゴリは、どのセットまたはＥＡＢカテゴリ（ローミングカテゴリ）の無線デバイスがＥＡＢを適用出来るかを示すために２ビットのフィールドを用い得る。例えば、「００」のビットパターンは、ＥＡＢ設定された無線デバイス（またはカテゴリＡ）に対応し得る。「０１」のビットパターンは、ＥＡＢ設定され、自身のＨＰＬＭＮにも、また自身のＨＰＬＭＮと同等のＰＬＭＮ（ＥＨＰＬＭＮ）にもいない無線デバイス（またはカテゴリＢ）に対応し得る。「１０」のビットパターンは、ＥＡＢ設定され、ＳＩＭ／ＵＳＩＭのオペレータ定義のＰＬＭＮセレクタリストにおいて自身がローミングしている国の最も好ましいＰＬＭＮとして列挙されているＰＬＭＮにも、自身のＨＰＬＭＮにも、また自身のＨＰＬＭＮに同等のＰＬＭＮにもいない無線デバイス（またはカテゴリＣ）に対応し得る。
【００３８】
公衆モバイルネットワーク（ＰＬＭＮ）は、陸上モバイル通信サービスを一般人に提供するという特定の目的のための規制団体、管理組織、または認定されている私的運用機関（ＲＰＯＡ）により設立および運用されるネットワークを含み得る。各加入者と、当該加入者のホームＰＬＭＮ（ＨＰＬＭＮ）との間には関係が存在し得る。通信が他のＰＬＭＮ上で処理された場合、当該他のＰＬＭＮは、訪問されるＰＬＭＮ（ＶＰＬＭＮ）と呼ばれ得る。ＰＬＭＮは、周波数帯域の１つ、または組み合わせによりサービスを提供し得る。ＰＬＭＮは国の境界により画定され得る。１より大きい数のＰＬＭＮがある国内に存在し得る。ＰＬＭＮエリアは、ＰＬＭＮが通信サービスを提供する地理的エリアであり得る。
【００３９】
バーリング係数は、無線デバイスによるノードへのアクセスが判断され得る値を含み得る。ｅａｂ−ＢａｒｒｉｎｇＦａｃｔｏｒの例に関して、無線デバイスは乱数を生成し得る。無線デバイスから選び出された乱数がバーリング係数値よりも小さい場合、ノードへのアクセスが許可され得る。その他に関しては、ノードへのアクセスは規制され得る。他の実施例において、乱数の値は、［０，１］の範囲で解釈され得、バーリング係数値は割合であり得、ｐ００（０％）＝０、ｐ０５（５％）＝０．０５、ｐ１０（１０％）＝０．１０、…、ｐ９５（９５％）＝０．９５である。例えば、ｐ５０のｅａｂ−ＢａｒｒｉｎｇＦａｃｔｏｒは、（各無線デバイスの乱数生成器により生成される）カテゴリ（Ａ、Ｂ、またはＣ）のおよそ５０％が、ノードへのアクセスを規制され得ることを示す。５％ずつ増分させられた割合が示されているが、割合の増分はいかなるものが用いられてもよい。
【００４０】
ＬＴＥシステムまたはＵＭＴＳの既存のＳＩＢまたはＥＡＢ専用のＳＩＢに用いられるバーリングカテゴリは、３ビットのフィールドまたは２ビットのフィールドを含み得る。実施例において、３つのＥＡＢカテゴリは互いに排他的であり得る。カテゴリＡの無線デバイスはカテゴリＢまたはカテゴリＣに含まれず、カテゴリＢの無線デバイスはカテゴリＡまたはカテゴリＣに含まれず、カテゴリＣの無線デバイスはカテゴリＡまたはカテゴリＢに含まれない。
【００４１】
他の実施例において、各サブカテゴリは、他のカテゴリの上位セットであり得る。例えば、カテゴリＡはカテゴリＢの上位セットであり得、カテゴリＢはカテゴリＣの上位セットであり得る。このことは、カテゴリＡの無線デバイスに適用可能なＥＡＢは、カテゴリＢおよびＣの無線デバイスに適用可能であることを意味し得る。別の言い方をすると、カテゴリＣはカテゴリＢの下位セットであり得、カテゴリＢはカテゴリＡの下位セットであり得る。このことは、カテゴリＢの無線デバイスに適用可能なＥＡＢは、カテゴリＣの無線デバイスに適用可能であるが、カテゴリＡの無線デバイスには適用可能でないことを意味し得る。
【００４２】
図５は、１００％のバーリング係数値でカテゴリＡの無線デバイス３２２Ａ〜Ｂ、３２４Ａ〜Ｃ、３２６Ａ〜Ｂ、３３２Ａ〜Ｆ、３３４Ａ〜Ｆ、３３６Ａ〜Ｄに適用されるＥＡＢの例を図示する。カテゴリＡの無線デバイスがノードにアクセスすることなく、セル内の他の無線デバイス（または、通常優先度無線デバイス）３２０Ａ〜Ｄ、３３０Ａ〜ＤはＲＡＣＨをノード３１０へ送信すること（および、続いてノード３１０と通信すること）を許可される。実施例において、カテゴリＡの無線デバイスは、３２２Ａ〜Ｂ、３２４Ａ〜Ｃ、３２６Ａ〜Ｂ、３３２Ａ〜Ｆ、３３４Ａ〜Ｆ、３３６Ａ〜Ｄを含み得る。カテゴリＢの無線デバイスは、３２２Ａ〜Ｂ、３２６Ａ〜Ｂ、３３２Ａ〜Ｆ、および３３６Ａ〜Ｄを含み得る。カテゴリＣの無線デバイスは、３２２Ａ〜Ｂおよび３３２Ａ〜Ｆを含み得る。
【００４３】
図６は、５０％のバーリング係数値でカテゴリＢの無線デバイス３２２Ａ〜Ｂ、３２６Ａ〜Ｂ、３３２Ａ〜Ｆ、３３６Ａ〜Ｄに適用されるＥＡＢの例を図示する。（カテゴリＢの無線デバイスを除く）カテゴリＡの無線デバイス３２４Ａ〜Ｃ、３３４Ａ〜Ｆ、および他の無線デバイス（または通常優先度無線デバイス３２０Ａ〜Ｄ、３３０Ａ〜Ｄは、ノード３１０へ送信し得る。カテゴリＢの無線デバイスの５０パーセント（５０％）、３２２Ｂ、３２６Ａ、３３２Ｂ、３３２Ｄ、３３２Ｆ、３３６Ｂ、３３６Ｄは規制され得、カテゴリＢの無線デバイスの他の５０％、３２２Ａ、３２６Ｂ、３３２Ａ、３３２Ｃ、３３２Ｅ、３３６Ａ、３３６Ｃは、ノードへ送信することが許可される。
【００４４】
前に示された特定の実施例において、バーリングカテゴリ（例えば、ｅａｂ−ＢａｒｒｉｎｇＣａｔｅｇｏｒｙ）およびバーリング係数（例えば、ｅａｂＢａｒｒｉｎｇＦａｃｔｏｒ）などのパラメータは、バーリングカテゴリ内のある割合の規制され得る無線デバイスを制御するよう構成され得る。バーリング係数は、バーリングカテゴリ内の無線デバイスの割合、または、バーリングカテゴリ内の無線デバイスのアクセス試行の最大数を含み得る。
【００４５】
ＵＭＴＳに関する実施例において、ＣＮエンティティ３８０はサービスしている汎用パケット無線サービス（ＧＰＲＳ）サポートノード（ＳＧＳＮ）を含み得、ノードはＲＮＣ３７０を含み得、ＣＮエンティティは、図３に示されるように、ＲＮＣシグナリングを用い得る。ＬＴＥと同様に、ＵＭＴＳにおいて、ＣＮネットワークはＲＮＣに、無線デバイス（例えばＵＥ）のサブカテゴリからの負荷を制限するよう要求し得る。ＵＭＴＳにおいて、無線アクセスネットワークアプリケーション部分（ＲＡＮＡＰ）プロトコルOVERLOADメッセージ（例えば、ＣＮOVERLOAD３６６メッセージ）は、ＣＮエンティティによりＲＮＣに対し、コアネットワークに過負荷がかけられることを示すために用いられ得る。優先度クラスインジケータＩＥが、ＥＡＢカテゴリを伝達すべく用いられ得、またはＥＡＢインジケータＩＥが、ＥＡＢカテゴリを伝達すべく用いられ得る。（優先度クラスインジケータＩＥまたはＥＡＢインジケータＩＥ内の）ＥＡＢカテゴリは、３ビットを用いてエンコードされ得、ここで各ビットは、ＥＡＢカテゴリ（例えば、カテゴリＡ、Ｂ、またはＣ）を示し、若しくは、ＥＡＢカテゴリが２ビットを用いてエンコードされ得る。
【００４６】
複数の異なるＥＡＢカテゴリは互いの下位セットであり上うので、ＥＡＢカテゴリは２ビットを用いてエンコードされ得る。優先度クラスインジケータＩＥまたはＥＡＢインジケータＩＥは、最適化された２ビットのエンコードを用い得、このことは、１つのＥＡＢカテゴリが一度にシグナリングされ得るということを活用し得る。１つの一意の２ビット組み合わせが、１つのＥＡＢカテゴリをシグナリングすべく用いられ得る。例えば、「００」のビット組み合わせは、ＥＡＢ設定された無線デバイス（例えばＵＥ）（またはカテゴリＡ）からのトラヒックを制限し得る。「１０」のビット組み合わせは、ＥＡＢ設定され、自身のＨＰＬＭＮにも、またそれに同等のＰＬＭＮにも登録されていないＵＥ（またはカテゴリＢ）からのトラヒックを制限し得る。「０１」のビット組み合わせは、ＥＡＢ設定され、ＳＩＭ／ＵＳＩＭのオペレータ定義のＰＬＭＮセレクタリストにおいて自身がローミングしている国の最も好ましいＰＬＭＮとして列挙されているＰＬＭＮにも、自身のＨＰＬＭＮにも、またそれに同等のＰＬＭＮにも登録されていないＵＥ（またはカテゴリＣ）からのトラヒックを制限し得る。他のビット組み合わせがカテゴリを表すべく用いられ得る。例えば、「００」はカテゴリＡの無線デバイスに対応し得、「０１」はカテゴリＢの無線デバイスに対応し得、「１０」はカテゴリＣの無線デバイスに対応し得る。
【００４７】
説明される、ＬＴＥおよびＵＭＴＳネットワークのためのＥＡＢを設定するプロセス、手順、およびシグナリングメカニズムは効率的に、過負荷保護および制御のために、特定のカテゴリの無線デバイスのアクセスを規制し得る。
【００４８】
他の実施例は、図７のフローチャートに示されるような、ノードに対する拡張型アクセスバーリングアクション（ＥＡＢアクション）のコアネットワークシグナリングの方法５００を提供する。方法は、少なくとも１つのコンピュータ可読媒体または１つの非一時的マシン可読記憶媒体に含まれる、マシンに対する命令として実行され得る。方法は、ブロック５１０のように、ノードにおいて、過負荷開始メッセージ内のＥＡＢアクションをコアネットワークエンティティ（ＣＮエンティティ）から受信する処理を含む。ブロック５２０のように、受信したＥＡＢアクションに基づいて、ノードから無線デバイスへＥＡＢ設定情報を送信する処理が続く。
【００４９】
ＥＡＢアクションは無線デバイスのカテゴリを表すバーリングカテゴリを含み得る。第１のカテゴリはＥＡＢ設定された無線デバイスを表し、第２のカテゴリは自身のホーム公衆モバイルネットワーク（ＨＰＬＭＮ）、または自身のＨＰＬＭＮと同等の公衆モバイルネットワーク（ＰＬＭＮ）にいないＥＡＢ設定された無線デバイスを表し、第３のカテゴリは、好ましいＰＬＭＮ、自身のＨＰＬＭＮ、または自身のＨＰＬＭＮと同等のＰＬＭＮにいないＥＡＢ設定された無線デバイスを表す。バーリングカテゴリは、抽象構文記法１（ＡＳＮ．１）列挙型であり得る。
【００５０】
実施例において、ＥＡＢアクションは過負荷アクション情報要素（過負荷アクションＩＥ）とは別個のＩＥであるＥＡＢアクションＩＥに含まれ得る。ＥＡＢアクションＩＥは過負荷応答ＩＥに含まれ得る。他の実施例において、ＥＡＢアクションは過負荷応答ＩＥに含まれ得、過負荷応答ＩＥは、ＥＡＢアクションまたは過負荷アクションのいずれかの選択タイプを含み得る。
【００５１】
方法はさらにノードが、過負荷開始メッセージ内のトラヒック負荷情報ＩＥをコアネットワークエンティティから受信することを含み得る。トラヒック負荷情報ＩＥは、ＥＡＢアクションにおけるバーリングカテゴリを適用する無線デバイスのＥＡＢパーセンテージを規定し得る。ノードはＥＡＢパーセンテージを、システム情報ブロック（ＳＩＢ）におけるアクセスクラスバーリング設定（ＡＣバーリング設定）のＡＣバーリング係数ＩＥへマッピングし得る。ノードはＡＣバーリング係数ＩＥを、無線リソース制御（ＲＲＣ）シグナリングを介してノードから無線デバイスへ送信し得る。
【００５２】
他の実施例において、コアネットワークエンティティは、ユニバーサルモバイルテレコミュニケーションシステム（ＵＭＴＳ）内のサービスしている汎用パケット無線サービス（ＧＰＲＳ）サポートノード（ＳＧＳＮ）を含み得る。ノードは、無線ネットワークコントローラ（ＲＮＣ）を含み得る。ＥＡＢアクションは、優先度クラスインジケータＩＥまたはＥＡＢインジケータＩＥに含まれ得る。過負荷開始メッセージは、無線アクセスネットワークアプリケーション部分（ＲＡＮＡＰ）過負荷メッセージを含み得る。ＥＡＢアクションは２ビットのエンコードを用いるバーリングカテゴリを含み得る。
【００５３】
他の実施例は、図８のフローチャートに示されるような、コアネットワークエンティティ（ＣＮエンティティ）からの拡張型アクセスバーリングアクション（ＥＡＢアクション）のコアネットワークシグナリングの方法６００を提供する。方法は、少なくとも１つのコンピュータ可読媒体または１つの非一時的マシン可読記憶媒体に含まれる、マシンに対する命令として実行され得る。方法は、ブロック６１０のように、ＥＡＢに基づいて、無線デバイス通信を規制する過負荷状況を判断する処理を含む。ブロック６２０のように、過負荷状況が発生した場合に過負荷開始メッセージ内のＥＡＢアクションをコアネットワークエンティティからノードへ送信する処理が続く。
【００５４】
ＥＡＢアクションは無線デバイスのカテゴリを表すバーリングカテゴリを含み得る。第１のカテゴリはＥＡＢ設定された無線デバイスを表し、第２のカテゴリは自身のホーム公衆モバイルネットワーク（ＨＰＬＭＮ）、または自身のＨＰＬＭＮと同等の公衆モバイルネットワーク（ＰＬＭＮ）にいないＥＡＢ設定された無線デバイスを表し、第３のカテゴリは、好ましいＰＬＭＮ、自身のＨＰＬＭＮ、または自身のＨＰＬＭＮと同等のＰＬＭＮにいないＥＡＢ設定された無線デバイスを表す。バーリングカテゴリは、抽象構文記法１（ＡＳＮ．１）列挙型であり得る。
【００５５】
実施例において、ＥＡＢアクションは過負荷アクション情報要素（過負荷アクションＩＥ）とは別個のＩＥであるＥＡＢアクションＩＥに含まれ得る。ＥＡＢアクションＩＥは過負荷応答ＩＥに含まれ得る。他の実施例において、ＥＡＢアクションは過負荷応答ＩＥに含まれ得、過負荷応答ＩＥは、ＥＡＢアクションまたは過負荷アクションのいずれかの選択タイプを含み得る。
【００５６】
方法はさらにコアネットワークエンティティが、過負荷開始メッセージ内のトラヒック負荷情報ＩＥをノードへ送信することを含み得る。トラヒック負荷情報ＩＥは、ＥＡＢアクションにおけるバーリングカテゴリを適用する無線デバイスのＥＡＢパーセンテージを規定し得る。ＥＡＢパーセンテージは、無線リソース制御（ＲＲＣ）シグナリングを介して無線デバイスに送信されるシステム情報ブロック（ＳＩＢ）におけるアクセスクラスバーリング設定（ＡＣバーリング設定）のＡＣバーリング係数ＩＥに対応し得る。
【００５７】
他の実施例において、コアネットワークエンティティは、ユニバーサルモバイルテレコミュニケーションシステム（ＵＭＴＳ）内のサービスしている汎用パケット無線サービス（ＧＰＲＳ）サポートノード（ＳＧＳＮ）を含み得る。ノードは、無線ネットワークコントローラ（ＲＮＣ）を含み得る。ＥＡＢアクションは、優先度クラスインジケータＩＥまたはＥＡＢインジケータＩＥに含まれ得る。過負荷開始メッセージは、無線アクセスネットワークアプリケーション部分（ＲＡＮＡＰ）過負荷メッセージを含み得る。ＥＡＢアクションは２ビットのエンコードを用いるバーリングカテゴリを含み得る。
【００５８】
図９は、例示的なノード３１０との有線または光リンクを介して通信するよう構成された例示的なコアネットワークエンティティ３４０を図示し、ノードは、拡張型アクセスバーリング設定された例示的な無線デバイス３２０と無線プロトコルを介して通信するよう構成されている。コアネットワークエンティティは、ロングタームエボリューションシステム（ＬＴＥシステム）内のモビリティマネジメントエンティティ（ＭＭＥ）、またはユニバーサルモバイルテレコミュニケーションシステム（ＵＭＴＳ）内のサービスしている汎用パケット無線サービス（ＧＰＲＳ）サポートノード（ＳＧＳＮ）を含む。ノードデバイスはノードに含まれ、ノードは、ＬＴＥシステム内の進化型ノードＢ（ｅＮＢ）またはノードＢ（ｍａｃｒｏ−ＮＢ）、若しくはＵＭＴＳ内の無線ネットワークコントローラ（ＲＮＣ）を含む。
【００５９】
ノード３１０はノードデバイス７１０を含み得る。ノードデバイスは、トランシーバモジュール７１２とプロセッシングモジュール７１４とを含み得る。ノードデバイスのトランシーバモジュールは、過負荷開始メッセージ内のＥＡＢアクションをコアネットワークエンティティ（ＣＮエンティティ）から受信するよう構成され得、受信したＥＡＢアクションに基づいてＥＡＢバーリングカテゴリと共にＥＡＢ設定情報を無線デバイスへ通信するよう構成され得る。ＥＡＢアクションは、ＥＡＢを適用する無線デバイスのローミングカテゴリを含み得る。トランシーバモジュールはさらに、過負荷開始メッセージ内のトラヒック負荷情報ＩＥをコアネットワークエンティティから受信し得、トラヒック負荷情報ＩＥは、ＥＡＢアクションにおけるバーリングカテゴリを適用する無線デバイスのＥＡＢパーセンテージを規定するよう構成され得る。ノードデバイスのプロセッシングモジュールは、ＥＡＢパーセンテージを、システム情報ブロック（ＳＩＢ）におけるアクセスクラスバーリング設定（ＡＣバーリング設定）のＡＣバーリング係数ＩＥへマッピングするよう構成され得る。トランシーバモジュールはさらに、ＡＣバーリング係数ＩＥを、無線リソース制御（ＲＲＣ）シグナリングを介して無線デバイスへ送信するよう構成され得る。加えて、ノードデバイスのトランシーバモジュールおよびプロセッシングモジュールは、先述したように、ノードに関連するＥＡＢのための機能を提供するよう構成され得る。
【００６０】
コアネットワークエンティティ３４０は、コアネットワークデバイス７４０を含み得る。コアネットワークデバイスは、トランシーバモジュール７４２とプロセッシングモジュール７４４とを含み得る。コアネットワークデバイスのプロセッシングモジュールは、ＥＡＢに基づいて無線デバイス通信を規制する過負荷状況を判断するよう構成され得る。コアネットワークデバイスのトランシーバモジュールは、過負荷状況が発生した場合に、過負荷開始メッセージ内のＥＡＢバーリングカテゴリと共にＥＡＢアクションをノードへ送信するよう構成され得る。トランシーバモジュールはさらに、過負荷開始メッセージ内のトラヒック負荷情報ＩＥをノードへ送信するよう構成され得る。トラヒック負荷情報ＩＥは、ＥＡＢアクションにおけるバーリングカテゴリを適用する無線デバイスのＥＡＢパーセンテージを規定し得る。ＥＡＢパーセンテージは、無線リソース制御（ＲＲＣ）シグナリングを介して無線デバイスへ送信されるシステム情報ブロック（ＳＩＢ）におけるアクセスクラスバーリング設定（ＡＣバーリング設定）のＡＣバーリング係数ＩＥに対応し得る。加えて、コアネットワークデバイスのトランシーバモジュールおよびプロセッシングモジュールは、先述したように、ノードに関連するＥＡＢのための機能を提供するよう構成され得る。
【００６１】
無線デバイス３２０は、プロセッシングモジュール７２４とトランシーバモジュール７２２とを含み得る。無線デバイスのトランシーバモジュールは、ノード３１０からＥＡＢ設定情報を受信し得る。無線デバイスのプロセッシングモジュールは、規制に関するＥＡＢ設定情報に特定される特性を有する無線デバイスに関して、ノードへの送信を規制し得る。加えて、無線デバイスのトランシーバモジュールおよびプロセッシングモジュールは、先述したように、無線デバイスに関連するＥＡＢのための機能を提供するよう構成され得る。
【００６２】
他の実施例において、ノードは無線デバイスと無線通信を行い得る。図１０は、ユーザ機器（ＵＥ）、モバイル局（ＭＳ），モバイル無線デバイス、モバイル通信デバイス、タブレット、ハンドセット、または他のタイプの無線デバイスなどの無線デバイスの例示的な図示を提供する。無線デバイスは、基地局（ＢＳ），進化型ノードＢ（ｅＮＢ）、ベースバンドユニット（ＢＢＵ）、リモートラジオヘッド（ＲＲＨ）、リモート無線機器（ＲＲＥ）、中継局（ＲＳ）、無線機器（ＲＥ）、または他のタイプの無線広域ネットワーク（ＷＷＡＮ）アクセスポイントなどのノードと通信するよう構成された１または複数のアンテナを含み得る。無線デバイスは、３ＧＰＰ  ＬＴＥ、３ＧＰＰ  ＵＭＴＳ、ＧＳＭ（登録商標）、ＷｉＭＡＸ、高速パケットアクセス（ＨＳＰＡ），Ｂｌｕｅｔｏｏｔｈ（登録商標）、およびＷｉＦｉを含む少なくとも１つの無線通信規格を用いて通信するよう構成され得る。無線デバイスは、各無線通信規格のための別個のアンテナ、または、複数の無線通信規格のための共通のアンテナを用いて通信し得る。無線デバイスは、無線ローカルエリアネットワーク（ＷＬＡＮ）、無線パーソナルエリアネットワーク（ＷＰＡＮ）、および／またはＷＷＡＮで通信し得る。
【００６３】
図１０は、無線デバイスからの音声入出力のために用いられ得るマイク、および１または複数のスピーカの図示も提供する。ディスプレイ画面は、液晶ディスプレイ（ＬＣＤ）画面、または有機発光ダイオード（ＯＬＥＤ）ディスプレイなど他のタイプのディスプレイ画面であり得る。ディスプレイ画面は、タッチ画面として構成され得る。タッチ画面は、容量性、抵抗性、または他のタイプのタッチ画面技術を用い得る。アプリケーションプロセッサおよびグラフィックプロセッサが内部メモリに結合されて、プロセッシングおよびディスプレイ機能を提供する。不揮発性メモリポートも、ユーザに対してデータ入出力オプションを提供すべく用いられ得る。不揮発性メモリポートも、無線デバイスのメモリ機能を拡張すべく用いられ得る。追加のユーザ入力を提供すべく、キーボードが無線デバイスと統合され得、または無線デバイスと無線接続され得る。タッチ画面を用いて仮想キーボードも提供され得る。
【００６４】
様々な技術、またはその特定の態様または部分は、フロッピー（登録商標）ディスク、ＣＤ−ＲＯＭ、ハードドライブ、非一時的コンピュータ可読記録媒体、または何らかの他のマシン可読媒体などの有形媒体で実施されるプログラムコード（つまり命令）の形態であり得る。プログラムコードがコンピュータなどのマシンにロードされ実行された場合、マシンは様々な技術を実施するための装置となる。プログラム可能なコンピュータでのプログラムコードの実行の場合、コンピューティングデバイスは、プロセッサ、プロセッサにより可読な記憶媒体（揮発性および不揮発性メモリ、並びに／若しくは記憶要素を含む）、少なくとも１つの入力デバイス、および少なくとも１つの出力デバイスを含み得る。揮発性および不揮発性メモリ、並びに／若しくは記憶要素は、ＲＡＭ、ＥＰＲＯＭ、フラッシュドライブ、光学式ドライブ、磁気ハードドライブ、または、電子データを格納するための他の媒体であり得る。ノードおよび無線デバイスは、トランシーバモジュール、カウンターモジュール、プロセッシングモジュール、並びに／若しくは、クロックモジュールまたはタイマーモジュールも含み得る。本明細書に説明される様々な技術を実装または利用し得る１または複数のプログラムは、アプリケーションプログラミングインタフェース（ＡＰＩ）、またはリユーザブルコントロール、およびその他を用い得る。そのようなプログラムは、コンピュータシステムとして通信するための高水準手続き型またはオブジェクト指向プログラミング言語で実装され得る。しかし所望される場合、プログラムは、アセンブリ言語またはマシン言語で実装され得る。いずれの場合であっても、言語は、コンパイラ型言語またはインタープリタ型言語であり得、ハードウェア実装と組み合わせられ得る。
【００６５】
本明細書に説明される機能単位の多くのは、より特定的にそれらの実装の独立性を強調すべく、モジュールとして区別されていることを理解されたい。例えば、モジュールはカスタムＶＬＳＩ回路またはゲートアレイを含むハードウェア回路、ロジックチップ、トランジスタ、または他の別個のコンポーネントなど市販の半導体として実装され得る。モジュールは、フィールドプログラマブルゲートアレイ、プログラマブルアレイロジック、プログラマブルロジックデバイス、またはその他などプログラマブルハードウェアデバイスでも実装され得る。
【００６６】
モジュールは、様々なタイプのプロセッサによる実行されるソフトウェアでも実装され得る。実行可能コードの識別されたモジュールは例えば、オブジェクト、手順、または機能として例えば編成され得るコンピュータ命令の１または複数の物理的または論理的なブロックを含み得る。しかし、識別されたモジュールの実行可能ファイルは物理的に一緒に位置する必要はなく、論理的に一緒に結合された場合にモジュールを構成し、モジュールの意図された目的を実現する、複数の異なる位置に格納された異種の命令を含み得る。
【００６７】
事実、実行可能コードのモジュールは、単一の命令、または多くの命令であり得、さらには、いくつかの異なるコードセグメントに亘り、異なるプログラム間で、およびいくつかのメモリデバイスを跨いで分散され得る。同様に、処理データは本明細書において、モジュール内で特定および図示され得、適した形態で実施され得、適したタイプのデータ構造内で編成され得る。処理データは単一のデータセットとして集められ得、または、複数の異なるデバイスを含む複数の異なる位置に亘って分散され得、少なくとも部分的に、単にシステムまたはネットワーク上の電子信号として存在し得る。モジュールは所望される機能を実行可能なエージェントなど受動的または能動的であり得る。
【００６８】
本明細書を通じて「実施例」を参照してきたが、これは、その実施例に関連して説明された特定の特徴、構造、または特性が本願発明の少なくともの一実施形態に含まれることを意味する。これにより、本明細書を通じて様々な箇所における「実施例において」というフレーズの出現は、全て同じ実施形態を参照しているとは限らない。
【００６９】
本明細書で用られるように、複数のアイテム、構造要素、組成要素、および／または材料が便宜上共通のリスト内で示され得る。しかしこれらのリストはリストの各メンバーが、別個かつ一意のメンバーとして個別に特定されるかのように解釈されるべきではない。これにより、そのようなリストの個別のメンバーは、反対のことが示されなければ、共通の群に示されることのみに基づいて同じリストの他のメンバーと事実上同等であるものとして解釈されるべきではない。加えて、本願発明の様々な実施形態および実施例は本明細書において、それらの様々なコンポーネントの代替例と併せて参照され得る。そのような実施形態、実施例、および代替例は、互いに事実上同等であるものとして解釈されるべきではなく、本願発明の別個であり自立した表現として見なされるべきであることを理解されたい。
【００７０】
さらに、説明される特徴、構造、または特性は、１または複数の実施形態において何らかの適したやり方で組み合わせられ得る。以下の説明において、本願発明の実施形態の深い理解を提供すべく、レイアウトの例、距離、ネットワークの例、その他など様々な特定の詳細が提供される。しかし当業者は、特定の詳細のうち１または複数を用いずとも、若しくは、他の方法、コンポーネント、レイアウト、その他を用いても本願発明を実施し得ることを認識されよう。他の例において、本願発明の態様を曖昧にすることを避けるべく周知の構造、材料、または処理が詳細には示されず説明されていない。
【００７１】
先述の実施例は、１または複数の特定の適用例における本願発明の原理を例示するものであるが、当業者には、実装の形態、利用、および詳細に関する様々な変更が発明の才能を発揮せずとも、また、本願発明の原理および概念から逸脱することなく加えられ得ることが明らかである。したがって本願発明は、以下に明記される請求項以外によって限定されることが意図されていない。
【図１】
2015507434.tif 000003
【図２】
2015507434.tif 000004
【図３】
2015507434.tif 000005
【図４】
2015507434.tif 000006
【図５】
2015507434.tif 000007
【図６】
2015507434.tif 000008
【図７】
2015507434.tif 000009
【図８】
2015507434.tif 000010
【図９】
2015507434.tif 000011
【図１０】
2015507434.tif 000012
【国際調査報告】
2015507434.tif 000013
2015507434.tif 000014